(57)【特許請求の範囲】
【請求項１】
スタート信号を検出する回路を備えた表示装置であって、
上記表示装置は一の色にて発光する発光部と他の色にて発光する発光部とからなり、
上記一の色の発光部はスタート信号と同時に予め設定された時間まで発光し、
上記他の色の発光部は予め設定された時間の経過後に発光することを特徴とするフライング判定用補助装置。
【請求項２】
請求項１記載のフライング判定用補助装置において、上記表示装置による発光はスタート画像と同一の画面内に録画されることを特徴とするフライング判定用補助装置。
【請求項３】
請求項２記載のフライング判定用補助装置において、上記録画が動画からなることを特徴とするフライング判定用補助装置。
【請求項４】
請求項２又は請求項３記載のフライング判定用補助装置において、上記録画が高速録画された画像からなることを特徴とするフライング判定用補助装置。
【請求項５】
請求項３又は請求項４記載のフライング判定用補助装置において、上記動画の録画速度が１００ｆｐｓ乃至２００ｆｐｓであることを特徴とするフライング判定用補助装置。
【請求項６】
請求項１乃至請求項５のいずれか一記載のフライング判定用補助装置において、上記一の色の発光部の発光時間が０．１秒であることを特徴とするフライング判定用補助装置。
【請求項７】
請求項１乃至請求項５のいずれか一記載のフライング判定用補助装置において、上記他の色の発光部の発光時間が１秒であることを特徴とするフライング判定用補助装置。
【請求項８】
請求項１乃至請求項５のいずれか一記載のフライング判定用補助装置において、上記一の色の発光部の発光色が赤色であることを特徴とするフライング判定用補助装置。
【請求項９】
請求項１乃至請求項５のいずれか一記載のフライング判定用補助装置において、上記他の色の発光部の発光色が緑色であることを特徴とするフライング判定用補助装置。
【請求項１０】
フライング判定用補助装置と録画装置と再生装置とからなり、
フライング判定用補助装置は、スタート信号を検出する回路と表示装置とからなり、上記表示装置はスタート信号と同時に予め設定された時間まで一の色にて発光する発光部と、予め設定された時間の経過後に他の色にて発光する発光部とからなり、
録画装置は競技者のスタート動作をスタート画像の動画として撮影するとともに撮影された画像を録画する装置からなり、
再生装置は、上記録画画像を再生する装置からなることを特徴とするフライング判定補助システム。
【請求項１１】
請求項１０記載のフライング判定補助システムにおいて、上記表示装置による発光はスタート画像と同一の画面内に録画されることを特徴とするフライング判定補助システム。
【請求項１２】
請求項１０記載のフライング判定補助システムにおいて、上記動画の録画速度が１００ｆｐｓ乃至２００ｆｐｓであることを特徴とするフライング判定補助システム。
【請求項１３】
請求項１０乃至請求項１２のいずれか一記載のフライング判定補助システムにおいて、上記一の色の発光部の発光時間が０．１秒であることを特徴とするフライング判定補助システム。
【請求項１４】
請求項１０乃至請求項１２のいずれか一記載のフライング判定補助システムにおいて、上記他の色の発光部の発光時間が１秒であることを特徴とするフライング判定補助システム。
【請求項１５】
請求項１０乃至請求項１２のいずれか一記載のフライング判定補助システムにおいて、上記一の色の発光部の発光色が赤色であることを特徴とするフライング判定補助システム。
【請求項１６】
請求項１０乃至請求項１２のいずれか一記載のフライング判定補助システムにおいて、上記他の色の発光部の発光色が緑色であることを特徴とするフライング判定補助システム。
【発明の詳細な説明】
【技術分野】
【０００１】
本願発明はスタート動作におけるフライング判定を確認するフライング判定用補助装置及び同装置を使用したフライング判定補助システムに関する。
【背景技術】
【０００２】
競技スポーツにおいてはスタート動作の優劣が着順に決定的な影響を与えることが多い。
【０００３】
スタート動作が他より異常に早く不正な場合には公正な競争とならないため、失格とするようルールに規定されているのが一般である。
【０００４】
例えば、陸上競技においては、０．１秒ルールがあり、スタートの合図から０．１秒以前にスタート動作をした場合はルール上失格とされる。競技者は、スタートの合図から０．１秒間は静止していなければならない。
【０００５】
この静止時間内にスタート動作をしている場合はフライングと判定される。このフライング判定は審判員が視認により行なう。審判員がしたフライング判定に対し競技者から抗議を受けた場合は、判定後に不正スタートを証明することが推奨される（陸上競技規則第１５０条参照）。この証明は図示しない不正スタート検出装置により又はスタート動作を撮影したビデオ画像の再生によりなされることが多い。
【０００６】
不正スタート検出装置は、不正スタートを機械的に検出する装置であり、競技者がスタートする際のブロックペダルに掛かる力をレールを介して加速度センサ又は圧力センサより検出し、スタート動作時の動きを数値又は図形で表示するものである。
【０００７】
この装置によると、前後に動くスタート時のレールの動きが早い場合または強い場合は大きな数値となって表示されるので、直ちにフライング判定を行うことができるが、そうでないときはフライング判定をすることができない場合がある。
【０００８】
例えば、つま先に荷重を掛けてスタートしたり、上方向に荷重を掛けてスタートする場合、あるいは、競技者の体重が軽すぎたり、ブロックペダルを押圧する力が極端に弱い場合のように、前後方向の力が十分にレールに伝わらない場合には、不正スタートの検出が困難となる。
【０００９】
また、不正スタート検出装置は、１／１０００秒精度でフライング判定をすることができるのであるが、非常に高価であるため、運営コストを掛けられない競技会では使用するのが困難である。
【００１０】
「フライング」と判定された競技者がこの判定に抗議した場合において、競技者が上記不正スタート検出装置により正確に記録されているスタート動作のデータを示しても納得しないときは、証明が非常に困難となる。
【００１１】
ビデオ画像の再生に関し、近時の録画装置は画像の解像度が良くなっているのであるが、静止時間内におけるスタート動作のための競技者の動きが僅かであるため、より早い録画速度で録画した画像をコマ送りして再生した場合、不正なスタート動作を審判員が視認するのは極めて困難である。上記再生での確認は、競技者の動きが少なかったり遅かったり、また曇天や夕方等必要な照度を得にくい場合はさらに困難である。
【００１２】
具体的に言えば、録画装置を使用する場合、録画のフレーム数（以下、「フレーム」を「コマ」、フレーム数を「コマ数」と呼ぶ）が多くなる程コマ数間隔分の誤差は減少する。たとえば、再生速度１０００ｆｐｓで録画する場合、不正スタート検出装置と同一の分解能に収まる利点があるが、１／１０００秒間の競技者の動きは僅小であるため、録画された画像を１コマずつ再生しながらその動きの開始点を特定するのは非常に困難である。上記特定は競技者の動きが少なかったり遅かったり、また曇天や夕方等必要な照度を得にくい場合はさらに困難である。
【００１３】
競技者によるフライング判定の抗議は競技直後に行われることが多い。このような場合、抗議の対応に手間取ると競技運営に支障がでるおそれがある。
【先行技術文献】
【特許文献】
【００１４】
【特許文献１】平成６年特許公開第３１０２４号
【特許文献２】特開２００５−８７３０７
【発明の概要】
【発明が解決しようとする課題】
【００１５】
本願発明は上記難点を解消し、不正スタートの判定があった際に、明確かつ簡易迅速に確認することを目的とする。これにより、迅速な競技運営に資することをも目的とする。また、不正スタートの確認を低コストで行うことをも目的とする。
【課題を解決するための手段】
【００１６】
上記目的達成のため、本願発明によるフライング判定用補助装置は、スタート信号を検出する回路を備えた表示装置であって、上記表示装置は一の色にて発光する発光部と他の色にて発光する発光部とからなり、上記一の色の発光部はスタート信号と同時に予め設定された時間まで発光し、上記他の色の発光部は予め設定された時間の経過後に発光することを特徴とする。
また請求項１記載のフライング判定用補助装置において、上記表示装置による発光はスタート画像と同一の画面内に録画されることを特徴とする。
また請求項２記載のフライング判定用補助装置において、上記録画が動画からなることを特徴とする。
また請求項２又は請求項３記載のフライング判定用補助装置において、上記録画が高速録画された画像からなることを特徴とする。
また請求項３又は請求項４記載のフライング判定用補助装置において、上記動画の録画速度が１００ｆｐｓ乃至２００ｆｐｓであることを特徴とする。
また請求項１乃至請求項５のいずれか一記載のフライング判定用補助装置において、上記一の色の発光部の発光時間が０．１秒であることを特徴とする。
また請求項１乃至請求項５のいずれか一記載のフライング判定用補助装置において、上記他の色の発光部の発光時間が１秒であることを特徴とする。
また請求項１乃至請求項５のいずれか一記載のフライング判定用補助装置において、上記一の色の発光部の発光色が赤色であることを特徴とする。
また請求項１乃至請求項５のいずれか一記載のフライング判定用補助装置において、上記他の色の発光部の発光色が緑色であることを特徴とする。
また本願発明によるフライング判定補助システムは、フライング判定用補助装置と録画装置と再生装置とからなり、フライング判定用補助装置は、スタート信号を検出する回路と表示装置とからなり、上記表示装置はスタート信号と同時に予め設定された時間まで一の色にて発光する発光部と、予め設定された時間の経過後に他の色にて発光する発光部とからなり、録画装置は競技者のスタート動作をスタート画像の動画として撮影するとともに撮影された画像を録画する装置からなり、再生装置は、上記録画画像を再生する装置からなることを特徴とする。
また請求項１０記載のフライング判定補助システムにおいて、上記表示装置による発光はスタート画像と同一の画面内に録画されることを特徴とする。
また請求項１０記載のフライング判定補助システムにおいて、上記動画の録画速度が１００ｆｐｓ乃至２００ｆｐｓであることを特徴とする。
また請求項１０乃至請求項１２のいずれか一記載のフライング判定補助システムにおいて、上記一の色の発光部の発光時間が０．１秒であることを特徴とする。
また請求項１０乃至請求項１２のいずれか一記載のフライング判定補助システムにおいて、上記他の色の発光部の発光時間が１秒であることを特徴とする。
また請求項１０乃至請求項１２のいずれか一記載のフライング判定補助システムにおいて、上記一の色の発光部の発光色が赤色であることを特徴とする。
また請求項１０乃至請求項１２のいずれか一記載のフライング判定補助システムにおいて、上記他の色の発光部の発光色が緑色であることを特徴とする。
【発明の効果】
【００１７】
スタート信号と同時にＯＮとなる一の色の発光部４は、予め設定された点灯時間Ｔ1例えば「０．１秒」間点灯し、該点灯時間Ｔ1経過後は他の色の発光部５が予め設定された点灯時間Ｔ2例えば「１秒」間点灯する。この間各競技者は一連のスタート動作をしている。フライング判定用補助装置１の点灯と一連のスタート動作の様子は、録画装置２５により動画のスタート画像として同一の画面内に撮影されている。
【００１８】
よって、予め設定された一の色の点灯時間Ｔ1内におけるスタート画像に動きがあれば、ルール上の「静止」時間内に動いたのであるから、不正スタートと確認することができる。つまり、本願発明による不正スタートの確認は、コマ取りされた画像の適宜速度での連続的な再生による静止時間内における動きを視認できることに基づく。
【００１９】
この「静止」範囲は、開始点ｔ1と終了点ｔ2が一の色の発光部４の一の色点灯と他の色の発光部５の他の色点灯という発光色の変化とともに録画されているから、フライング判定の視認による確認を明確かつ容易にすることができるのである。
【００２０】
そしてこの不正スタートの動きは、静止時間を示す一の色の発光部４の一の色の発光とともに画像に再生されるから、競技者はフライングしている自らのスタート動作を認めざるを得ず、不正スタートと納得せざるを得ないのである。よって競技運営に支障がでるおそれを防止する。
【００２１】
またスタート直後の一の色の発光を記録した一連の画像は短く僅小なものであるが、他の色の発光部５の点灯があるので、再生画像の頭出しのための目印となるため、フライング判定箇所の頭出しが容易となる。これにより、フライング判定の迅速性に寄与する。
【図面の簡単な説明】
【００２２】
【図１】本願発明によるフライング判定用補助装置の実施の形態を示す正面図である。
【図２】図１のフライング判定用補助装置の電気的構成を示すブロック図である。
【図３】図１のフライング判定用補助装置を使用したフライング判定補助システムの構成例を示すブロック図である。
【図４】（Ａ）は図１のフライング判定用補助装置の設置場所の一例を示す図、（Ｂ）は同他の例を示す図である。
【図５】図１のフライング判定用補助装置のタイミングチャートである。
【図６】図１のフライング判定用補助装置によるフライング判定の確認を説明する図である。
【図７】（Ａ）はＡ色発光部の点灯中の録画画像を示す図、（Ｂ）はＡ色発光部の点灯中の録画画像を示す図、（Ｃ）はＢ色発光部の点灯中の録画画像を示す図である。
【図８】図１のフライング判定用補助装置のスタート信号とシャッターとの関係を説明する図である。
【図９】本願発明によるフライング判定用補助装置の他の実施の形態を示すブロック図である。
【図１０】図９のフライング判定用補助装置のタイミングチャートである。
【発明を実施するための形態】
【００２３】
次に、実施の形態を示す図面に基づき本願発明によるフライング判定用補助装置及び同装置を使用したフライング判定補助システムをさらに詳しく説明する。なお、便宜上同一の機能を奏する部分には同一の符号を付してその説明を省略する。
【００２４】
図１及び図２に示すように、フライング判定用補助装置１は、電気回路が組み込まれた本体２と、該本体２の表面に設けられた表示板３とからなる。該表示板３は、赤色発光ダイオード（ＬＥＤ）４ＡからなるＡ色発光部４及び緑色発光ダイオード（ＬＥＤ）５ＢからなるＢ色発光部５とからなる。７は上記本体２を収納するケーシングである。上記本体２内にはスタート信号検出回路１１、スタート信号分配回路１３、点灯時間制御部１５、１６及び発光素子点灯用ドライバ１７、１８が内蔵される。
【００２５】
スタート信号検出回路１１は、後述するスタート信号発信装置２１より生ずるスタート信号を検出する回路からなり、ケーシング７の底面に設けられた入力コネクタ９より入力されるスタート信号を検出し、出力コネクタ１０よりスタート信号分配回路１３に出力する。
【００２６】
スタート信号分配回路１３はスタート信号を分配する回路からなり、入力コネクタ１２より入力されるスタート信号をＡ色発光系及びＢ色発光系に印加するとともに、出力コネクタ１４ａ、１４ｂより図示しない写真判定装置及び不正スタート検出装置に分配する。該出力コネクタ１４ａ、１４ｂはケーシング７の底面に設けられる。
【００２７】
点灯時間制御部１５はＣＰＵからなり、Ａ色発光部の点灯開始点ｔ1及び点灯終了点ｔ2を制御する。即ち、上記点灯時間制御部１５には、Ａ色発光部４がスタート信号と同時にＯＮとなり、「０．１秒」間点灯するようプログラムが設定されている。
【００２８】
発光素子点灯用ドライバ１７はトランジスタからなり、上記点灯時間制御部１５からの指令信号を受け、上記Ａ色発光部４に点灯のための電圧を供給する。
【００２９】
点灯時間制御部１６はＣＰＵからなり、Ｂ色発光部の点灯開始点ｔ2及び点灯終了点ｔ3を制御する。即ち、上記点灯時間制御部１６には、Ｂ色発光部がスタート信号から「０．１秒」後にＯＮとなり「１秒間」点灯するようプログラムが設定されている。
【００３０】
発光素子点灯用ドライバ１８はトランジスタからなり、上記点灯時間制御部１６からの指令信号を受け、上記Ｂ色発光部５に点灯のための電圧を供給する。
【００３１】
なお、本実施例においては、上記発光素子点灯用ドライバ１７及び上記発光素子点灯用ドライバ１８はトランジスタアレイにより構成されている。また上記点灯時間制御部１５及び上記点灯時間制御部１６も単一のＣＰＵにより兼用されている。
【００３２】
図３に示すように、本願発明によるフライング判定用補助装置１は図示しないＡＣ１００Ｖ電源に接続し、また電気配線３１にてスタート信号発信装置２１に接続されて使用される。
【００３３】
図３はフライング判定用補助装置１を使用したフライング判定補助システムを示す。上記スタート信号発信装置２１は単発式又は連発式のスタート信号を発信する装置であり、その装置形状は任意であり、ピストル式であっても、方形状体であってもよい。２５は競技者のスタート動作を撮影するとともに撮影画像を録画する録画装置である。本実施例の場合、録画装置２５は、ＣＡＳＩＯ製Hi Speed Exilim EX-FH100を使用している。この録画装置２５により１２０ｆｐｓで録画した場合、640×480dotの動画として録画することができ、この場合、０．１秒間に１１〜１２コマの画像を得ることができる。２７は該録画装置２５に内蔵され、撮影された画像を記憶保存するＳＤカードである。２９はパーソナルコンピュータ（ＰＣ）であり、該ＳＤカード２７に記憶保存された画像を再生する。
【００３４】
フライング判定用補助装置１の設置は、図４（Ａ）に示すように、トラック３３の内側であっても、また外側であってもよい。フライング判定用補助装置１の設置場所は録画装置２５の画角に収まる範囲内において適宜に選択される。この場合、競技者が最大に写る範囲とし、競技者の上体や脚部を写る場所を適宜に選ぶのが望ましい。さらに図４（Ｂ）に示すように、トラック３３の内側及び外側の両方に設置してもよい。なお、１００ｍ競技や１１０ｍハードル競技の場合はトラック３３の内側設置とするのが一般である。
【００３５】
次に図５に示すタイミングチャートに基づき、フライング判定用補助装置１の動作を説明する。
【００３６】
まず上記フライング判定用補助装置１に電気的に接続されたスタート信号発信装置２１（図３に示す）が審判員により操作され、スタート信号が発生する。
【００３７】
スタート信号が入力コネクタ９に印加されると（図５<１>）、スタート信号検出回路１１がスタート信号を検出する（図５<２>）。
【００３８】
該スタート信号により、スタート信号分配回路１３が印加され（図５<３>）、点灯時間制御部１５が立ち上がって、発光素子点灯用ドライバ１７にＯＮ信号を発する（図５<４>）。
【００３９】
上記ＯＮ信号により発光素子点灯用ドライバ１７がＯＮとなり（図５<５>）、赤色のＡ色発光部４が予め設定された点灯時間Ｔ1である「０．１秒」間発光する（図５<６>、図６）。
【００４０】
次いで、予め設定された点灯時間Ｔ1である「０．１秒」を経過すると、点灯時間制御部１５に入力されていた信号が立ち下がりＯＦＦ信号を発する（図５<７>）。
【００４１】
これにより発光素子点灯用ドライバ１７はＯＦＦとなり、赤色のＡ色発光部４が消灯する（図５<８>）。
【００４２】
点灯時間制御部１５がＯＦＦとなると同時に、点灯時間制御部１６が信号により立ち上がって（図５<９>）、発光素子点灯用ドライバ１８にＯＮ信号を発する（図５<10>）。
【００４３】
上記ＯＮ信号により発光素子点灯用ドライバ１８がＯＮとなり、緑色のＢ色発光部５が予め設定された点灯時間Ｔ2である「１秒」間発光する（図５<11>、図６）。
【００４４】
次いで、予め設定された点灯時間Ｔ2である「１秒」を経過すると、点灯時間制御部１６に入力されていた信号が立ち下がりＯＦＦ信号を発する（図５<12>）。
【００４５】
これにより発光素子点灯用ドライバ１８はＯＦＦとなり、緑色のＢ色発光部５が消灯する（図５<13>）。
【００４６】
上記一連の発光ステップにおいて、競技者は図７（Ａ）乃至図７（Ｃ）に示す如きスタート動作をしている。
【００４７】
なお、上記スタート信号は、スタート信号分配回路１３により、出力コネクタ１４ａ及び出力コネクタ１４ｂから図示しない不正スタート検出装置及び写真判定装置にも出力されている。不正スタート検出装置はフライング検出の公式記録用に使用され、写真判定装置はゴールの際の写真判定及びタイム計測に使用される。
【００４８】
上記フライング判定用補助装置１の動作の中で、図３及び図６に示すように、競技者のスタート動作は録画装置２５により撮影されている。この撮影はＣＡＳＩＯ製Hi Speed Exilim EX-FH100のような安価に入手できる録画装置２５により行うことができ、コマ取りされた動画としてＳＤカード２７に記録保存される。
【００４９】
そしてこのＳＤカード２７に記録保存されている録画画像を、パーソナルコンピュータ（ＰＣ）２９により再生して、各競技者のスタート動作を視認する。
【００５０】
図７（Ａ）乃至図７（Ｃ）は上記動画をパーソナルコンピュータ（ＰＣ）２９により再生した画像である。図７（Ａ）はコマ取りされた動画の第１コマ、図７（Ｂ）はＡ色発光部４の点灯時間Ｔ1の最終コマ、図７（Ｃ）はＡ色発光部４に続いて点灯されるＢ色発光部５の点灯時間Ｔ2の第１コマである。実際には、本例の場合、図７（Ａ）に示す第１コマから図７（Ｂ）に示す最終コマまで１１乃至１２コマある。
【００５１】
フライングと判定されていた場合、図７（Ａ）及び図７（Ｂ）に撮影されていた一連のスタート画像に動きがあれば、「静止」範囲である「０．１秒」間に動いたのであるから、不正スタートと確認することができる。つまり、本願発明による不正スタートの確認は、コマ取りされたスタート画像を適宜速度にて連続的に再生し、これにより静止時間内における動きを視認できることに基づく。
【００５２】
なお、ルール上の「静止」範囲は「０．１秒以前」であり、理論的にはＡ色発光部４の開始点ｔ1以前に競技者の動きがある場合もフライングであるが、０．１秒以前に競技者の動きがある場合これに続くＡ色発光部４の開始点ｔ1乃至終了点ｔ2間も競技者の動きがあるのが通例である。
【００５３】
スタート動作開始直後の競技者の動きは僅小なものであるため、一連のスタート動作を記録したスタート画像は１コマ々々では動いているか否か視認が困難である。しかしながら、上記実施の形態においてはスタート動作が動画としてコマ取りされているため、パーソナルコンピュータ（ＰＣ）２９により適宜の早さで連続的に再生すると、いわゆる「パラパラアニメ」の原理により、フライングした競技者が動いているようにみえるので、競技者の動きが容易かつ明確に視認できるのである。
【００５４】
例えば図７（Ａ）及び図７（Ｂ）において、第２レーンの競技者は図７（Ｂ）に実線で示すように肩から下方の腕部及び腰部に動きがあり（図７（Ａ）と同一の姿勢を図７（Ｂ）に一点鎖線で示す）、この動きはスタート画像の１コマ々々では動いているか否か視認が困難であるが、これを適宜の早さで連続的に再生すると動いているようにみえるので、視認にても容易かつ明確に判るのである。なお、図７（Ａ）及び図７（Ｂ）において、他の競技者には動きがない。また図７（Ｂ）における第２レーンの競技者の動きは誇張して描いてあるが、実際の動きはもっと僅小のものである。
【００５５】
録画画像の再生に当たり、図６に示すように、スタート動作の禁止範囲の開始点ｔ1と終了点ｔ2においてはＡ色発光部４が赤色に点灯され、それ以降ｔ2乃至ｔ3においてはＢ色発光部５が緑色に点灯される。このように録画画像はＡ色発光部４の赤色点灯とＢ色発光部５の緑色点灯という発光色の変化とともに録画され再生されるから、フライング判定の視認による確認を明確かつ容易にすることができる。
【００５６】
この不正スタートの動きは、静止時間を示すＡ色発光部４の赤色発光とともに画像に再生されるから、競技者はフライングしている自らのスタート動作を認めざるを得ず、不正スタートと納得せざるを得ないのである。よって、競技者によるフライング判定の抗議は早期に納得を得ることが期待できる。
【００５７】
これにより、迅速な競技運営に資することができる。
【００５８】
また、上記実施の形態によれば、次のようにフライング判定箇所の頭出しを容易に行なうことができる。
【００５９】
即ち、図７（Ａ）乃至図７（Ｃ）に示すように、スタート直後のＡ色発光部による赤色発光時間は「０．１秒」と短く僅小なものであるため、緑色のＢ色発光部５の点灯がないと再生画像の頭出しをすることが非常に困難となるが、上記実施の形態によれば、そのようなおそれがない。
【００６０】
つまり、「フライング」と判定された不正スタートの確認のための再生画像の頭出しにおいて、１秒間点灯している緑色のＢ色発光部５の点灯箇所を発見すれば、その直前が赤色に点灯された確認対象たるスタート動作の禁止範囲であり、この禁止範囲における一連のコマのみ画像の再生をすれば不正スタートか否かの確認をすることができるのである。
【００６１】
よって、Ｂ色発光部５による発光は、フライング判定の確認のための再生画像の頭出しの際の目印となる効果がある。
【００６２】
これにより、フライング判定の確認の迅速性に寄与する。
【００６３】
ここで、図８に基づき、録画装置２５の撮影条件とＡ色発光部及びＢ色発光部の同時点灯画像について説明する。録画装置２５のシャッター速度とスタート信号とは非同期であり、かつシャッターの開閉は等間隔でなされるため、シャッター速度等の撮影条件によっては、図８（Ｂ）に示すように、Ａ色発光部４による赤色とＢ色発光部５による緑色の両方が同時に点灯する画像が撮影される場合がある。
【００６４】
これは、シャッター「開」の間に、Ａ色発光部４からＢ色発光部５に点灯が変更する瞬間に、両色の発光を１コマ内に録画したため生ずる。
【００６５】
このような「同時点灯画像」はシャッターの開放時間が長い（つまりシャッター速度が遅い）と頻度が大となる。
【００６６】
このような「同時点灯画像」は、フライング対象時間Ｔ1後の画像を含んでいるため、不正スタートの確認の対象外として取り扱う。
【００６７】
このような取り扱いにより１コマ程度を除去しても、本願発明による不正スタートの確認は、コマ取りされた画像の適宜速度での連続的な再生による動きの視認であるため、実質上判断に影響を与えない。
【００６８】
本願発明によるフライング判定用補助装置１及び同装置を使用したフライング判定補助システムは上記した実施の形態に限定されない。例えば、フライング判定用補助装置１は、図９及び図１０に示すようにスタート信号分配回路１３を設けずに、回路構成をする場合であってもよい。かかる実施の形態は、例えば不正スタート検出装置を使用しないことがある中学校、高等学校の競技大会のような大会運営を低コストで行なわざるを得ない場合に有利である。図１０のタイミングチャートにおける<１>乃至<12>の動作順は図５の<１>及び<２>並びに<４>乃至<13>と同様であるので、説明を省略する。
【００６９】
また、図２の実施の形態において、スタート信号分配回路１３に複数の録画装置２５を分岐接続することもできる。かかる場合は、競技者のスタート動作を種々の角度から撮影するのに有利である。
【００７０】
録画装置２５とパーソナルコンピュータ（ＰＣ）２９とをＵＳＢ接続することにより、撮影動画をオンラインでパーソナルコンピュータ（ＰＣ）２９に伝送して再生することもできる。また録画装置２５やＳＤカード２７を複数用意しておいて、競技の合間に交換する方が経験上効率的である。
【００７１】
また本願発明により不正スタートの確認に必要な録画コマ数を得るには１００〜２００ｆｐｓ程度の撮影ができることが望ましい。しかしながら、本願発明によるフライング判定用補助装置はそれ以上の再生速度である１０００ｆｐｓにも対応することができる。
【００７２】
スタート信号検出回路１１は適宜に回路構成することができる。
【００７３】
上記Ａ色発光部４及び上記Ｂ色発光部５の色彩は異なっていれば任意である。
【００７４】
上記発光素子点灯用ドライバ１７、１８は、トランジスタアレイではなく、別個のトランジスタから構成することもできる。またＣＰＵによるＡ色発光部４及びＢ色発光部５の予め設定された時間ｔ1、ｔ2、ｔ3のプログラム制御はハードロジック回路によりなすこともできる。さらに出力コネクタ１０及び入力コネクタ１２は制御基板内にて配線接続することができる。
【産業上の利用可能性】
【００７５】
本願発明によるフライング判定用補助装置は、例えば陸上競技用機器として活用することができる。
【符号の説明】
【００７６】
１      フライング判定用補助装置
２      本体
３      表示板
４      Ａ色発光部
４Ａ    赤色ＬＥＤ
５      Ｂ色発光部
５Ｂ    緑色ＬＥＤ
７      ケーシング
９      入力コネクタ
１０    出力コネクタ
１１    スタート信号検出回路
１２    入力コネクタ
１３    スタート信号分配回路
１４ａ  出力コネクタ
１４ｂ  出力コネクタ
１５    点灯時間制御部
１６    点灯時間制御部
１７    発光素子点灯用ドライバ
１８    発光素子点灯用ドライバ
２１    スタート信号発信装置
２５    録画装置
２７    ＳＤカード
２９    パーソナルコンピュータ
３１    電気配線
３３    トラック
【図１】
0005177458.tif 000002
【図２】
0005177458.tif 000003
【図３】
0005177458.tif 000004
【図４】
0005177458.tif 000005
【図５】
0005177458.tif 000006
【図６】
0005177458.tif 000007
【図７】
0005177458.tif 000008
【図８】
0005177458.tif 000009
【図９】
0005177458.tif 000010
【図１０】
0005177458.tif 000011